(57)【特許請求の範囲】
【請求項１】
表示部と、該表示部への表示を制御する表示制御部と、を有する表示装置であって、
前記表示部に画定される複数の領域のそれぞれの隅に設けられる光センサと、
該光センサにより検出される光量の和が最大となる領域を選択された領域と判断し、選択された領域に関する表示制御を行なう表示制御部と
を有することを特徴とする表示装置。
【請求項２】
表示部と、該表示部への表示を制御する表示制御部と、を有する表示装置であって、
前記表示部に画定される複数のメニュー表示領域のそれぞれの隅に設けられる光センサと、
該光センサにより検出される光量の和が最大となる領域を選択された領域と判断し、選択された領域に関する表示制御を行なう表示制御部と
を有することを特徴とする表示装置。
【請求項３】
表示部と、該表示部への表示を制御する表示制御部と、を有するＥＰＧ機能付き表示装置であって、
前記表示部に画定される複数の番組のＥＰＧ表示領域のそれぞれの隅に設けられる光センサと、
該光センサにより検出される光量の和が最大となる領域を選択された領域と判断し、選択された領域に関する表示制御を行なう表示制御部と
を有することを特徴とする表示装置。
【請求項４】
請求項１から３までのいずれか１項に記載の表示装置と、
リモコンコードを含む第１のビームを生成する第１ビーム生成部と、
前記第１のビームを出射する第１の出射部と、
前記第１のビームとは異なる種類の第２のビームを生成する第２ビーム生成部と、
前記第２のビームを出射する第２の出射部と、
前記第２のビームの出射に関するオンオフを行なう第２のビームスイッチと
を有することを特徴とするリモコン装置と
を有する表示システム。
【発明の詳細な説明】
【技術分野】
【０００１】
本発明は、表示装置における制御技術に関し、特に、テレビジョン受信機（以下テレビ装置）におけるリモートコントロール装置（以下、リモコン装置）を用いた表示システムに関する。
【背景技術】
【０００２】
テレビ装置に表示されたメニューやＥＰＧの番組などを、リモコン装置などの方向キーで選択候補にフォーカスを合わせる。次いで、決定キーにより、フォーカスを合わせたメニューや番組を実際に選択する。
【０００３】
図７は、一般的なＥＰＧ表示に基づくテレビ番組の選択処理の概略を示す図である。図７に示すように、テレビ装置の表示部１２１に、選択すべき項目の内容が記載された升目が２次元行列のＥＰＧ表示されている。ここでは、縦軸がチャネル軸（放送のチャネルが変数）、横軸が放送時間帯となっている。チャネルと時間帯とにより画定される升目のうち斜線が施されている領域が、現在選択候補となっている。選択候補にフォーカスを当てて、ｅｎｔｅｒを押すとその番組を選択することができる。
【０００４】
ユーザは、リモコン装置の方向キーにより、フォーカスの当たる位置を変更しながら、自己の選択したい番組にフォーカスを当て、決定キーを押すことにより、その番組の視聴などを行なうことができるようになっている。
【０００５】
【特許文献１】特開2000-253325号公報
【発明の開示】
【発明が解決しようとする課題】
【０００６】
図８は、リモコンによるＥＰＧの選択の様子を示す図である。図８に示されるように、上下左右の４通りの方向にフォーカスを移動させることができる方向キーと決定キーとによる選択方法では、例えば、番組１５１の位置１５１から位置１５３までフォーカスを移動させる場合には、行方向と列方向のいずれかの移動を１升ずつ行なっていくことになるため（ルート１５５又はルート１５７）、ルート１６１に示すような最短距離でフォーカスを移動させることができないという問題があった。
【０００７】
本発明は、表示システムにおけるフォーカスの移動操作をより簡単に行なうことを目的とする。
【課題を解決するための手段】
【０００８】
本発明の一観点によれば、表示部と、該表示部への表示を制御する表示制御部と、を有する表示装置であって、前記表示部に画定される複数の領域のそれぞれの少なくとも３隅に設けられる光センサと、該光センサにより検出される光量に基づいて、いずれの領域が選択されたかを判断し、選択された領域に関する表示制御を行なう表示制御部と、を有することを特徴とする表示装置が提供される。
【０００９】
また、表示部と、該表示部への表示を制御する表示制御部と、を有する表示装置であって、前記表示部に画定される複数のメニュー表示領域のそれぞれの少なくとも３隅に設けられる光センサと、該光センサにより検出される光量に基づいて、いずれの領域が選択されたかを判断し、選択された領域に関する表示制御を行なう表示制御部と、を有することを特徴とする表示装置が提供される。
【００１０】
さらに、表示部と、該表示部への表示を制御する表示制御部と、を有するＥＰＧ機能付き表示装置であって、前記表示部に画定される複数の番組のＥＰＧ表示領域のそれぞれの少なくとも３隅に設けられる光センサと、該光センサにより検出される光量に基づいて、いずれの領域が選択されたかを判断し、選択された領域に関する表示制御を行なう表示制御部と、を有することを特徴とする表示装置が提供される。
【００１１】
上記各表示装置によれば、表示部に表示されている複数の領域を、任意に選択することができる。
ここで、前記光センサの光量の合計が大きい領域を、選択領域として判断することが好ましい。
【００１２】
本発明の他の観点によれば、リモコンコードを含む第１のビームを生成する第１ビーム生成部と、前記第１のビームを出射する第１の出射部と、前記第１のビームとは異なる種類の第２のビームを生成する第２ビーム生成部と、前記第２のビームを出射する第２の出射部と、前記第２のビームの出射に関するオンオフを行なう第２のビームスイッチと、を有することを特徴とするリモコン装置が提供される。
【発明の効果】
【００１３】
本発明によれば、リモコン操作に基づいて、表示部に形成された複数の領域のいずれかを任意に指定することができる。従って、多くの領域を有する場合にも、所望の領域を簡単に指定することができるという効果がある。
【発明を実施するための最良の形態】
【００１４】
以下、本発明の一実施の形態による表示システムについて、テレビ受信機を例にし、かつ、ＥＰＧにおける番組の選択を例にして説明を行なう。図１は、本実施の形態によるテレビ装置とリモコン装置とを含むシステムの一構成例を示す機能ブロック図である。図１に示すように、本実施の形態によるシステムは、テレビＴＶ１と、放送局３と、テレビ１を制御するためのリモコン装置５と、を有している。テレビＴＶ１は、放送局３からの放送から番組を選局するチューナー部１１と、ＥＰＧ取得処理を行なうＥＰＧ取得処理部１５と、映像信号等の信号処理を行なう信号処理部１７と、信号に基づく表示を行なう表示部２１と、表示に関する制御を行なう表示制御部２５と、リモコン装置５からの信号を受光するリモコン受光部２３と、全体の機能ブロックを制御する制御部２７と、を有している。さらに、表示部２１には、後述するように、ビーム位置を検出するためのビーム位置検出用の例えばグリッド状光受光部（光センサ）２１ａが設けられている。
【００１５】
リモコン装置５は、図示しない操作ボタンの操作に応じて赤外線による制御信号を出射する赤外線信号出射部５ａと、上記光センサ２１ａによって検出可能な例えばレーザ光を出射するレーザ光出射部５ｂとを有している。レーザ光出射部５ｂからのレーザ光は、上記グリッド状光受光部（センサ）によって検出され、レーザ光の表示部２１上における照射位置がわかるようになっている。この点に関しては後述する。
【００１６】
図２は、上記リモコン装置５の構成例を示す外観概略図である。図２に示すように、本実施の形態によるリモコン装置５は、操作ボタン３１と、選択決定部３３と、ＩＲコード出射部５ａと、レーザ光出射部５ｂと、を有している。選択決定部３３は、符号３３ａから３３ｄまでの方向キーと、決定キー３５と、レーザ光を出射させるためのレーザ光出射キー３７と、を有している。尚、赤外線は、レーザ光に比べて広がりが大きいため、リモコン受光部２３に対して赤外線光を受光させることができるリモコンの方向（角度）に関する余裕が比較的大きいのに対して、レーザ光は直進性が高くリモコンの方向によって詳細に方向を制御する必要がある。但し、赤外線よりもレーザ光の方が光の照射方向を精度良く詳細に制御することができる。
【００１７】
以下に、本実施の形態による、リモコン装置を利用したテレビ受信機の原理と利用方法とについて、図面を参照しながら説明を行なう。図３Ａは、本実施の形態によるテレビ受信機の表示部２１の構成例（正面図）であって図８に対応する図であり、図３Ｂはその断面構成例を示す図である。図４は、表示部２１のグリッド状光受光部２１ａの構成を詳細に説明するための部分的な構成図である。図５は、リモコン装置を用いたユーザ側の処理の流れを示すフローチャート図である。図６は、テレビ受信機側の動作の流れを示すフローチャート図である。
【００１８】
図３Ａに示すように、本実施の形態によるテレビ受信機の表示部２１には、多数の升目状のグリッド状光受光部２１ａを含む番組表示領域が示されている。これらのグリッド状光受光部２１ａの例えば４隅には、それぞれ上記レーザ光を検知する光センサ４１ａ〜４１ｄが配置されている。隣接する領域の光センサは共有可能である。さらに、図示しないが、光センサ４１ａから４１ｄまでがセンシングするレーザ光の強度を求めて記憶する機能が、例えば表示部２１の裏側に設けられている。図３Ｂに示すように、例えば液晶パネル２２ａの裏面側に光センサ４１ａ、４１ｄなどが配置されており、例えば２次元的なマトリックス構造に対する配線により、これらの光センサの受ける光の強度が光センサにより光電変換され、得られた電気信号に基づいて公知の方法により光強度計測部２２ｂで各光センサの光強度が求められる。
【００１９】
図４は、番組表示領域等に含まれる１つのグリッド状光受光部２１ａの詳細な構成を示す図である。図４に示すように、１つのグリッド状光受光部２１ａには、Ｘ−Ｙ２次元平面上に配置された第１のセンサ４１ａと、第２のセンサ４１ｂと、第３のセンサ４１ｃと、第４のセンサ４１ｄとが、４隅に設けられている。今、Ｐ１（ｘ１，ｙ１）の位置にレーザ光が照射されると、それぞれのセンサ４１ａ〜４１ｄまでによって検出されるレーザ光の強度は、番組表示領域２１ａに隣接する位置に設けられている光センサ（２つの光センサは共通になる）の例えば合計の光強度よりも必ず大きくなる。従って、例えば、表示制御部２５（図１）において、４つの光センサ４１ａ〜４１ｄまでの測定光量の和を全ての領域で求め、和が最大となる領域を決定することで、いずれの領域にレーザ光が照射されているかを知ることができる。
【００２０】
このようにすれば、リモコンの方向キーによるフォーカス位置の移動（符号５５、５７）を図３Ａに示すように行なわなくても、レーザ光をフォーカスしたい番組表示領域５３に直接移動させることができる（符号６１、６３）。
【００２１】
ユーザ側の操作手順としては、図５に示すように、ステップＳ１において処理を開始し、ステップＳ２において、表示部にＥＰＧ（又はメニュー）表示を行ない、ステップＳ３において、光スイッチを押してレーザ光による光ビームを所望の番組に向けて照射する。ステップＳ４において決定キーを押し、処理を終了する（ステップＳ５）。図６に示すように、テレビ受信機側の処理においては、ステップＳ１１でレーザ光のビーム位置を検出し、ステップＳ１２において光ビームの位置を一般的なリモコンコマンドに変換する。或いは、番組を選択、表示する。これにより、この位置にＥＰＧ表示されている番組を選択して出力する。ステップＳ１３において、コマンドに基づく処理を実行する。ステップＳ１４において、処理を終了する。
【００２２】
以上の処理により、本実施の形態によるリモコン装置とテレビ受信機とによる、ＥＰＧ又はメニュー選択を行なうことができる。
【００２３】
本実施の形態による表示システムによれば、リモコン操作に基づいて、表示部に形成された複数の領域のいずれかを任意に指定することができる。従って、多くの領域を有する場合にも、所望の領域を簡単に指定することができるという利点がある。
【００２４】
尚、上記の実施の形態では、図３に示すように、１つの領域とそれに隣接する領域とでセンサを共有させることも可能であり（センサ共有型）、それぞれの領域毎に４隅にセンサを配置する構成（センサ占有型）も可能である。また、各領域の４隅にセンサを設置したが３隅にセンサを配置する構成でも良い。３隅にセンサを配置する場合において、センサ共有型では、列方向と行方向とにそれぞれ隣接する４つの領域の全てが共有する交点に配置するセンサの設置を省くことができる。一方、センサ占有型では、領域毎に任意の位置の１つのセンサの設置を省くことができる。
【００２５】
また、光量の最大の領域を選択領域とする方法以外に、光量の大小に基づいて、選択領域の順番を決めるようにしても良い。
【産業上の利用可能性】
【００２６】
本発明はテレビ受信機のＥＰＧ表示やメニュー表示における選択技術として利用可能である。
【図面の簡単な説明】
【００２７】
【図１】本発明の一実施の形態によるテレビ装置とリモコン装置とを含むシステムの一構成例を示す機能ブロック図である。
【図２】リモコン装置の構成例を示す外観概略図である。
【図３Ａ】本実施の形態によるテレビ受信機の表示部の構成例（正面図）であって図８に対応する図である。
【図３Ｂ】図３Ａの断面構成例を示す図である。
【図４】表示部のグリッド状光受光部の構成を詳細に説明するための部分的な構成図である。
【図５】図５は、リモコン装置を用いたユーザ側の処理を流れを示すフローチャート図である。
【図６】図６は、テレビ受信機側の動作の流れを示すフローチャート図である。
【図７】一般的なＥＰＧ表示に基づくテレビ番組の選択処理の概略を示す図である。
【図８】リモコンによるＥＰＧの選択の様子を示す図である。
【符号の説明】
【００２８】
１…テレビＴＶ、３…放送局、５…リモコン装置、１１…チューナー部、１５…ＥＰＧ取得処理部、１７…信号処理部、２１…表示部、２１ａ…グリッド状光受光部（光センサ）、２３…リモコン受光部、２５…表示制御部、２７…制御部。
【図１】
0004627741.tif 000002
【図２】
0004627741.tif 000003
【図３Ａ】
0004627741.tif 000004
【図３Ｂ】
0004627741.tif 000005
【図４】
0004627741.tif 000006
【図５】
0004627741.tif 000007
【図６】
0004627741.tif 000008
【図７】
0004627741.tif 000009
【図８】
0004627741.tif 000010